(57)【要約】【課題】電源設備が不要で、使い方も容易であり、雨傘に付着した水滴を残らず除去することができる雨傘除水装置を提供する。【解決手段】雨傘除水装置１においては、直方体形状をしたケーシング２の中央に位置する中央ケーシング２ａ内に、傘挿入孔５と８本の傘骨収容スリット６とを有する水滴吸収部材７などが配置され、ケーシング２の背面側にカバー８が架けられ、ケーシング２の背面やや後方に情報掲示板９が配置されている。水滴吸収部材７は、水分吸収性を有する略楔形状をした８個の固形体７ａをその鋭角部７ｂを防水ケース３の中心に向け、その背面部７ｃを防水ケース３の内周面に密着させ、かつ、防水ケース３の円周方向に隣り合う固形体７ａ同士の間にそれぞれ傘骨収容スリット６となる隙間を設けた状態で防水ケース３内に着脱可能に収容することによって形成されている。【選択図】        図１
2004170029.tif 000002
【特許請求の範囲】
【請求項１】
水分吸収体に、雨傘を石突側から挿入可能な傘挿入穴と、前記傘挿入穴を中心に放射状に形成され雨傘の生地表面の一部が傘骨とともに進入可能な前記傘骨と同数の傘骨収容スリットとを設け、隣り合う前記傘骨収容スリットの間に位置する前記水分吸収体表面に前記傘挿入穴に向かって下り勾配をなす凸面形状の生地当接面を設けることによって形成した水滴吸収部材を備えたことを特徴とする雨傘除水装置。
【請求項２】
前記水滴吸収部材を着脱可能に収容する防水ケースを設けた請求項１記載の雨傘除水装置。
【請求項３】
前記水滴吸収部材および前記傘挿入穴に挿入された雨傘から落下する水分を回収する水分回収容器を設けた請求項１または２記載の雨傘除水装置。
【請求項４】
前記傘挿入穴の軸心が垂直または傾斜状態をなすように前記水滴吸収部材を保持する傾動保持機構を設けた請求項１〜３のいずれかに記載の雨傘除水装置。
【請求項５】
前記水滴吸収部材の傘挿入穴および傘骨収容スリットを着脱可能に覆うカバー、前記水滴吸収部材の近傍に配置された情報掲示手段の少なくとも一方を設けた請求項１〜３のいずれかに記載の雨傘除水装置。
【発明の詳細な説明】
【０００１】
【発明の属する技術分野】
本発明は、雨天時などに使用した雨傘の生地表面に付着している水分を除去する装置に関する
【０００２】
【従来の技術】
駅などの公共施設やデパートなどの大型建造物など多数の人が集まる場所は、雨天の際に人々が持ち込む雨傘から滴る水滴が通路や床面を濡らして歩行者が滑って転んだり、他人の衣服や商品などを濡らしたりすることがある。このような状況を回避するため、デパートなど商業設備においては、出入り口にビニール製の傘カバーを用意し、来訪者が各人使用できるようにしているが、使用後の傘カバーは最終的には廃棄されるため、これらを所定場所に回収したり、焼却処分したりするのに手間がかかるだけでなく、石油資源の無駄ともなっている。
【０００３】
このような弊害を防止するため、雨傘生地に付着した水分を除去するための装置が開発されており、従来の雨傘除水装置として、ロート状の傘受器に雨傘を差し込むとその内周面に添設された吸水シートに水分が吸い込まれ、この吸水シートに吸着された水分を電動式の吸水機構で吸引除去するもの（例えば、特許文献１参照。）、あるいは星型断面に形成されたガイドフレーム内面に配置された傘地吸水布に、半開き状態で緊張された傘地を接触させて傘を上下動させることにより水分を除去するもの（例えば、特許文献２参照。）などがある。
【０００４】
【特許文献１】
実開平６−１４８８５号公報（第４−５頁、第１図）
【特許文献２】
特開平８−１６８４３１号公報（第２−５頁）
【０００５】
【発明が解決しようとする課題】
特許文献１に記載されている傘の脱水装置は、傘受器の内面に添設された吸水シートに吸着された水分を吸引除去するための吸水機構が電動式であるため、電源設備のない場所では使用することができない。
【０００６】
一方、特許文献２に記載された傘の脱水装置は、実際に使用する場合、半開き状態にした雨傘の傘骨をそれぞれ骨挿入隙間に差し込む必要があるが、半開きにした雨傘の生地にはひだが生じており、ひだの部分は雨滴によって雨傘生地同士が密着しているため傘骨の挿入が困難であり、また、差し込んだ雨傘を上下に摺動させなければならないので操作も面倒である。
【０００７】
本発明が解決しようとする課題は、電源設備が不要で使い方も容易であり、雨傘の付着水を残らず除去することができる雨傘除水装置を提供することにある。
【０００８】
【課題を解決するための手段】
本発明の雨傘除水装置は、水分吸収体に、雨傘を石突側から挿入可能な傘挿入穴と、傘挿入穴を中心に放射状に形成され雨傘の生地表面の一部が傘骨とともに進入可能な傘骨と同数の傘骨収容スリットとを設け、隣り合う傘骨収容スリットの間に位置する水分吸収体表面に傘挿入穴に向かって下り勾配をなす凸面形状の生地当接面を設けることによって形成した水滴吸収部材を備えたことを特徴とする。
【０００９】
このような構成とすれば、水滴吸収部材には傘挿入穴を中心に複数の生地当接面が朝顔状に広がった部分が形成された状態となるため、手開き式の雨傘であれば拡張状態を解除した半開き状態にして、ジャンプ傘（手元のプッシュボタンを操作すれば自動的に拡張する機能を有する傘）であれば拡張状態のままで、その石突を傘挿入穴に挿入し、それぞれ傘骨を傘骨収容スリット付近に位置させるとともに雨傘の生地表面を生地当接面に接触させ、手元を握ったまま雨傘全体を石突側から傘挿入穴に挿入していけば、各傘骨は生地を裏面側から押圧しながらそれぞれの傘骨収容スリット内へ進入していくので、隣り合う傘骨の間の生地表面は下り勾配の生地当接面に押し付けられて摺動しながら傘挿入穴内へ進入していくこととなり、このような傘挿入過程において生地表面の付着水が水滴吸収部材に吸収除去される。
【００１０】
また、前記傘挿入過程においては、傘挿入穴に向かってそれぞれ下り勾配をなす生地当接面、すなわち全体的に朝顔状をなす複数の生地当接面に沿って生地が摺動しながら傘挿入穴へ進入していくため、雨傘の生地はその中棒に向かって徐々に収束していくこととなり、露先付近まで傘骨収容スリット内に進入した時点で雨傘は畳まれた状態となる。このあと、手元を握ったまま雨傘を引き出せば、雨傘生地の付着水が残らず除去され、且つ畳まれて開かない状態となって傘挿入穴から取り出される。
【００１１】
この雨傘除水装置では雨傘の生地が拡張した状態、すなわち生地にひだやしわが生じていない状態で傘挿入穴に差し込まれ、このあとの雨傘挿入過程においても、隣り合う傘骨の間の生地表面は、生地当接面が凸面形状をしていることで、常に緊張状態を保ちながら生地当接面に押し付けられるため、生地にしわやひだが生じることがなく、生地表面の付着水を残らず吸収除去することができる。また、雨傘を半開き状態または拡張状態にして傘挿入穴に挿入した後、引き出すだけで雨傘生地の付着水を残らず除去することができるので使い方は簡単であり、モータ駆動のファンや電熱乾燥手段などを用いていないので電源設備も不要である。
【００１２】
ここで、前記水滴吸収部材を着脱可能に収容する防水ケースを設けることが望ましく、このような防水ケースを設ければ、水滴吸収部材に吸収された水分が外部に漏出するのを防止することができる。また、劣化、損傷した水滴吸収部材の交換も可能となるため、装置全体の耐久性、メンテナンス性も向上する。なお、防水ケースとしては円筒体、多角筒体、箱体などが好適である。
【００１３】
また、前記水滴吸収部材および前記傘挿入穴に挿入された雨傘から落下する水滴を回収する水分回収容器を設けることが望ましい。このような水分回収容器を設ければ、雨傘や水滴吸収部材から落下する水滴を全て水分回収容器に回収することができるようになるので、排水設備のない場所における使用が可能となる。また、水滴吸収部材が水分で飽和して吸水性が失われるのを防ぐことができるため、除水機能の低下を回避することができる。この場合、水分回収容器を装置から着脱可能としておけば、水分回収容器のみを装置から離脱させ、容器内に溜まった水分を廃棄することができるようになるので、便利である。
【００１４】
一方、前記傘挿入穴の軸心が垂直または傾斜状態をなすように水滴吸収部材を保持する傾動保持機構を設けることが望ましい。このような傾動保持機構を設ければ、傘挿入穴の軸心が垂直または傾斜状態をなすように水滴吸収部材を保持することで、雨傘の挿入方向を垂直または斜めのいずれにも設定可能となるため、使用条件に応じたセッティングができるようになり、利便性が向上する。
【００１５】
また、前記水滴吸収部材の傘挿入穴および傘骨収容スリットを着脱可能に覆うカバー、前記水滴吸収部材の近傍に配置された情報掲示手段の少なくとも一方を設けることが望ましい。このようなカバーを設ければ、不使用時、傘挿入穴および傘骨収容スリットをカバーで覆っておくことができるので、いたずらなどによる異物の投入や、塵埃などの付着、侵入を防止することができる。また、前記水滴吸収部材の近傍に情報掲示手段を配置すれば、当該雨傘水分除去装置の使用方法の掲示場所あるいは宣伝広告場所として利用することができる。
【００１６】
【発明の実施の形態】
図１に示すように、本実施形態の雨傘除水装置１においては、直方体形状をしたケーシング２の中央付近に水滴吸収部材７が配置され、ケーシング２の背面側にカバー８が架けられ、水滴吸収部材７の近傍である、ケーシング２の背面やや後方に情報掲示板９が配置されている。カバー８はその角付近に開設された複数の係止穴８ａを、ケーシング２の背面に設けられたフック１４に架けることで保持されている。情報掲示板９は、ケーシング２の左右側面の後部上方に回動可能に軸支された伸縮性を有する支持部材９ａによって起立状態に保たれている。
【００１７】
図２に示すように、水滴吸収部材７は、ケーシング２内に水平配置された支軸１０に回動可能に取り付けられた円筒体形状の防水ケース３内に着脱可能に収容されている。本実施形態における水滴吸収部材７は、図３，図４に示すように、水分吸収性を有する略楔形状をした８個の固形体７ａをその鋭角部７ｂを防水ケース３の中心に向け、その背面部７ｃを防水ケース３の内周面に密着させ、かつ、防水ケース３の円周方向に隣り合う固形体７ａ同士の間にそれぞれ傘骨収容スリット６となる隙間を設けた状態で防水ケース３内に着脱可能に収容することによって形成している。
【００１８】
これによって、水滴吸収部材７は、後述する図５に示すように、雨傘Ｕをその石突Ｕ１側から挿入可能な傘挿入穴５と、傘挿入穴５を中心に放射状に形成され雨傘Ｕの生地Ｕ２の表面の一部が傘骨Ｕ３とともに進入可能な８本の傘骨収容スリット６と、隣り合う傘骨収容スリット６の間に位置する水分吸収性固形体７ａ表面に形成された傘挿入穴５に向かって下り勾配をなす凸面形状の生地当接面４とを備えたものとなっている。なお、水滴吸収部材７は、単一の水分吸収体、すなわち水分吸収性を有する連続した一つの固形体に、傘挿入穴５および複数の傘骨収容スリット６などを設けることによって形成することもできる。
【００１９】
このような構成とすることにより、図１，図５に示すように、水滴吸収部材７の上面には、傘挿入穴５を中心に８つの生地当接面６が朝顔状に広がった部分が形成されるため、手開き式の雨傘であれば拡張状態を解除した半開き状態にして、ジャンプ傘（手元のプッシュボタンを操作すれば自動的に拡張する機能を有する傘）であれば拡張状態のままで、雨傘Ｕの石突Ｕ１を傘挿入穴５に挿入し、８本の傘骨Ｕ３をそれぞれ傘骨収容スリット６の開口部分に位置させるとともに雨傘Ｕの生地Ｕ２の表面を生地当接面４に接触させ、手元Ｕ４を握ったまま雨傘Ｕ全体をその石突Ｕ１側から傘挿入穴５に挿入していけば、各傘骨Ｕ３は生地Ｕ２をその裏面側から押圧しながらそれぞれの傘骨収容スリット６内へ進入していくので、隣り合う傘骨Ｕ３の間の生地Ｕ２の表面は下り勾配の生地当接面４に押し付けられて摺動しながら傘挿入穴５内へ進入していくこととなり、このような傘挿入過程において生地Ｕ２の表面の付着水が水滴吸収部材７に吸収除去される。
【００２０】
また、前述した傘挿入過程においては、傘挿入穴５に向かってそれぞれ下り勾配をなす生地当接面４、すなわち全体的に朝顔状をなす８つの生地当接面４に沿って生地Ｕ２が摺動しながら傘挿入穴５へ進入していくため、雨傘Ｕの生地Ｕ２はその中棒Ｕ５に向かって徐々に収束していくこととなり、露先Ｕ６付近まで傘骨収容スリット６内に進入した時点で雨傘Ｕは畳まれた状態となる。この後、手元Ｕ４を手で握ったまま雨傘Ｕを引き上げれば、雨傘Ｕは、生地Ｕ２の付着水が残らず除去され且つ畳まれて開かない状態となって傘挿入穴５から取り出されることとなる。
【００２１】
このように、雨傘除水装置１においては、雨傘Ｕの生地Ｕ２が拡張した状態、すなわち生地Ｕ２にひだやしわが生じていない状態で傘挿入穴５に差し込まれ、このあとに続く雨傘挿入過程においても、隣り合う傘骨Ｕ３の間の生地Ｕ２表面は、生地当接面４が凸面形状をしていることで、常に緊張状態を保ちながら生地当接面４に押し付けられるため、生地Ｕ２に水分が隠れるしわやひだが生じることがなく、生地Ｕ２表面の付着水を残らず吸収除去することができる。
【００２２】
また、雨傘Ｕを半開き状態または拡張状態にして傘挿入穴５に深く挿入した後、そのまま引き出すだけで生地Ｕ２の付着水を残らず除去することができるので使い方は簡単であり、モータ駆動のファンや電熱乾燥手段などを用いていないので電源設備も不要である。
【００２３】
前述したように、水滴吸収部材７は防水ケース３内に着脱可能に収容されているため、水滴吸収部材７に吸収された水分が外部に漏出することがなく、長期間の使用などによって劣化、損傷した水滴吸収部材７の交換も可能であり、装置全体の耐久性、メンテナンス性に優れている。また、水滴吸収部材７を形成する８個の固形体７ａはそれぞれ独立して防水ケース３に着脱可能であるため、劣化、損傷した固形体７ａのみを交換することもできる。これらの固形体７ａの材質としては、吸水性を有する発泡合成樹脂材、綿状材・繊維材・高分子吸水材などを透水性シート・布、不織布などで被覆したものなどが好適である。
【００２４】
また、ケーシング２内の防水ケース３の下方に水分回収容器１３を設けているため、水滴吸収部材７および傘挿入穴５に挿入された雨傘Ｕから落下する水分を全て水分回収容器１３に回収することができ、排水設備のない場所における使用も可能であり、水滴吸収部材７が水分で飽和して吸水性が失われ、除水機能が低下するのを回避することができる。水分回収容器１３は、装置１の正面下部から引き出し式に着脱可能であるため、水分回収容器１３のみを装置１から離脱させ、容器内に溜まった水分を廃棄することができ、便利である。
【００２５】
図５，図６に示すように、傘挿入穴５の最下部付近には、傘挿入穴５に挿入された雨傘Ｕの石突Ｕ１を受け止めるためのストッパ１１を設けているため、雨傘Ｕから石突Ｕ１を伝わって落下する水分はストッパ１１を経由して落下し、残らず水分回収容器１３に回収される。また、図３〜図５に示すように、水滴吸収部材７を形成する各固形体７ａの底面は倒立した屋根形状とし、鋭角部７ｂと背面部７ｃとの中間付近に稜線７ｄを設けているため、各固形体７ａから染み出した水分は底面の倒立屋根面を伝わって流下し、その最下部に位置する稜線７ｄ部に集まった後、落下することとなり、水滴吸収部材７中の水分排出を促すことができる。なお、図６に示すように、ストッパ１１を支える３本の保持部材１２は、防水ケース３の内周面に１２０度間隔で放射状に固定されており、その幅も比較的小さく、保持部材１２の間は空間となっているため、これらの保持部材１２が水滴吸収部材７から水分回収容器１３への水分の落下を妨げることもない。
【００２６】
一方、図７に示すように、水滴吸収部材７を収容する防水ケース３を支軸１０で回動可能に保持することにより、傘挿入穴５の軸心５ａが垂直または傾斜状態をなすように水滴吸収部材７を保持する傾動保持機構を形成している。これにより、水滴吸収部材７を収容する防水ケース３はこれを包囲する中央ケーシング２ａとともに支軸１０を中心に回動可能であり、任意の傾斜角度において静止させることができる。したがって、傘挿入穴５の軸心５ａが垂直または傾斜状態をなすように水滴吸収部材７を保持することで、雨傘Ｕの挿入方向を垂直または斜めのいずれにも設定可能となるため、使用条件に応じたセッティングができ、使い勝手も良好である。
【００２７】
なお、ケーシング２の背面に収納されたカバー８は、その上方の係止穴８ａをフック１４に係止して吊り下げているので、中央ケーシング２ａの傾動角度が比較的小さい範囲であればその傾動を妨げることはない。また、カバー８をフック１４から取り外せば、防水ケース３は中央ケーシング２ａとともに支軸１０を中心に３６０度回転可能となり、水滴吸収部材７の清掃や部品交換などの際、任意の角度に傾けて作業を行うことができるため、作業性にも優れている。
【００２８】
また、図８に示すように、ケーシング２の背面側に架けられたカバー８は、上方に引き上げた後、ケーシング２の前方へ倒伏させることにより水滴吸収部材７の傘挿入穴５および傘骨収容スリット６などを含む装置１の上面全体を着脱可能に覆うことができる。したがって、不使用時、いたずらなどにより、傘挿入穴５および傘骨収容スリット６などに異物が投入されたり、塵埃などが付着したり、侵入したりするのを防止することができる。
【００２９】
さらに、水滴吸収部材７の近傍であるケーシング２の背面側に情報掲示板９を配置しているため、雨傘除水装置１の使用方法の掲示場所あるいは宣伝広告場所として利用することができる。なお、図８に示すように、情報掲示板９は、ケーシング２の左右側面の後部上方に回動可能に軸支された伸縮性を有する支持部材９ａによって起立状態に保たれているため、不使用時は、ケーシング２の前方へ情報掲示板９を倒伏させた後、支持部材９ａを収縮させることにより、カバー８の上面に重ねた状態に折り畳むことができるので、収納スペースの削減を図ることができる。
【００３０】
【発明の効果】
本発明により、以下の効果を奏する。
【００３１】
（１）水分吸収体に、雨傘を石突側から挿入可能な傘挿入穴と、傘挿入穴を中心に放射状に形成され雨傘の生地表面の一部が傘骨とともに進入可能な傘骨と同数の傘骨収容スリットとを設け、隣り合う傘骨収容スリットの間に位置する水分吸収体表面に傘挿入穴に向かって下り勾配をなす凸面形状の生地当接面を設けることによって形成した水滴吸収部材を備えたことにより、電源設備を用いることなく、雨傘に付着した水分を容易に残らず除去することができる。
【００３２】
（２）前記水滴吸収部材を着脱可能に収容する防水ケースを設けることにより、水滴吸収部材に吸収された水分の外部漏出を防止することができ、劣化、損傷した水滴吸収部材の交換も可能となるため、装置全体の耐久性、メンテナンス性も向上する。
【００３３】
（３）前記水滴吸収部材および前記傘挿入穴に挿入された雨傘から落下する水滴を回収する水分回収容器を設けることにより、排水設備のない場所における使用が可能となり、水滴吸収部材の水分飽和に起因する除水機能の低下を回避することができる。
【００３４】
（４）前記傘挿入穴の軸心が垂直または傾斜状態をなすように水滴吸収部材を保持する傾動保持機構を設けることにより、雨傘の挿入方向を垂直または斜めのいずれにも設定可能となるため、使用条件に応じたセッティングができるようになり、利便性が向上する。
【００３５】
（５）前記水滴吸収部材の傘挿入穴および傘骨収容スリットを着脱可能に覆うカバーを設けることにより、不使用時、いたずらなどによる異物の投入や塵埃などの付着、侵入を防止することができる。また、前記水滴吸収部材の近傍に情報掲示手段を配置すれば、当該雨傘水分除去装置の使用方法の掲示場所あるいは宣伝広告場所として利用することができる。
【図面の簡単な説明】
【図１】本発明の実施の形態である雨傘除水装置を示す斜視図である。
【図２】図１に示す雨傘除水装置の一部切欠平面図である。
【図３】図１に示す雨傘除水装置を構成する水分吸収部材を示す斜視図である。
【図４】（ａ）は図３におけるＢ−Ｂ線断面図であり、（ｂ）は同Ｃ−Ｃ線断面図である。
【図５】図２における一部省略Ａ−Ａ線断面図である。
【図６】図５における一部省略Ｄ−Ｄ線断面図である。
【図７】図２における一部省略Ｅ−Ｅ線断面図である。
【図８】図１に示す雨傘除水装置の側面図である。
【図９】図１に示す雨傘除水装置の側面図である。
【符号の説明】
１  雨傘除水装置
２  ケーシング
２ａ  中央ケーシング
３  防水ケース
４  生地当接面
５  傘挿入穴
６  傘骨収容スリット
７  水滴吸収部材
７ａ  固形体
７ｂ  鋭角部
７ｃ  背面部
７ｄ  底面部
８  カバー
８ａ  係止穴
９  情報掲示板
９ａ  支持部材
１０  支軸
１１  ストッパ
１２  保持部材
１３  水分回収容器
１４  フック
Ｕ  雨傘
Ｕ１  石突
Ｕ２  生地
Ｕ３  傘骨
Ｕ４  手元
Ｕ５  中棒
Ｕ６  露先
【図１】
2004170029.tif 000003
【図２】
2004170029.tif 000004
【図３】
2004170029.tif 000005
【図４】
2004170029.tif 000006
【図５】
2004170029.tif 000007
【図６】
2004170029.tif 000008
【図７】
2004170029.tif 000009
【図８】
2004170029.tif 000010
【図９】
2004170029.tif 000011